(57)【要約】【課題】  ノイズの発生を防止し、通話品質の高い携帯電話機を提供する。【解決手段】  携帯電話機１００は、一方端１３１ａから他方端１３２ａへ向かって延び、ほぼ矩形で長辺１３３，１３４と短辺１３１，１３２とを有する基板１３０と、基板１３０の一方端１３０ａ側と他方端側１３２ａにおいて、基板１３０の対角線近傍に設けられた第１および第２の給電点１５１，１５３と、第１および第２の給電点１５１，１５３の各々に接続された第１および第２のアンテナ１５２，１５４と、長辺１３３，１３４の長さをＡとすると、一方端１３１ａからの距離がＡ／３以上２Ａ／３以下の領域に位置するデジタルチップ１６０とを備える。【選択図】        図１
2005142641.tif 000002
【特許請求の範囲】
【請求項１】
一方端から他方端に向かって延び、ほぼ矩形で長辺と短辺とを有する基板と、
前記基板の一方端側と他方端側において、前記基板の対角線近傍に設けられた第１および第２の給電点と、
前記第１および第２の給電点の各々に接続された第１および第２のアンテナと、
前記基板の長辺の長さをＡとすると、前記一方端からの距離が、Ａ／３以上２Ａ／３以下の領域に位置するデジタルチップとを備えた、携帯電話機。
【請求項２】
前記基板の一方側部から他方側部へ延びる短辺の長さをＢとすると、前記一方側部からの距離がＢ／３以上２Ｂ／３以下の領域に前記デジタルチップが位置する、請求項１に記載の携帯電話機。
【発明の詳細な説明】
【技術分野】
【０００１】
この発明は、携帯電話機に関し、より特定的には通話品質が向上した携帯電話機に関するものである。
【背景技術】
【０００２】
従来携帯電話機は、たとえば特開平７−９４９２３号公報（特許文献１）に開示されている。
【特許文献１】特開平７−９４９２３号公報
【発明の開示】
【発明が解決しようとする課題】
【０００３】
携帯電話機の重要な特性として、通話品質が挙げられる。この通話品質はさまざまな要素によって決定されるが従来の携帯電話機では必ずしも満足な通話品質を得ることができないという問題があった。
【０００４】
そこで、この発明は上述のような問題点を解決するためになされたものであり、ノイズを低下させ通話品質が向上する携帯電話機を提供することを目的とする。
【課題を解決するための手段】
【０００５】
この発明に従った携帯電話機は、一方端から他方端に向かって延び、ほぼ矩形で長辺と短辺とを有する基板と、基板の一方端側と他方端側において基板の対角線近傍に設けられた第１および第２の給電点と、第１および第２の給電点の各々に接続された第１および第２のアンテナと、基板の長辺の長さをＡとすると、一方端からの距離が、Ａ／３以上２Ａ／３以下の領域に位置するデジタルチップとを備える。
【０００６】
ここで「デジタルチップ」とは、ＣＰＵ（中央処理装置）またはメモリチップを意味する。
【０００７】
このように構成された携帯電話機では、デジタルチップが基板の長手方向の中央領域に設けられるためデジタルチップによる給電点およびアンテナへの影響を少なくすることができる。その結果ノイズを低減して通話品質の高い携帯電話機を提供することができる。
【０００８】
より好ましくは、基板の一方側部から他方側部へ延びる短辺の長さをＢとすると、一方側部からの距離がＢ／３以上２Ｂ／３以下の領域にデジタルチップが位置する。
【発明の効果】
【０００９】
この発明に従えばノイズを低減できかつ通話品質の向上した携帯電話機を提供することができる。
【発明を実施するための最良の形態】
【００１０】
以下、この発明の実施の形態について図面を参照して説明する。なお、以下の実施の形態において同一または相当する部分については同一の参照符号を付し、その説明については繰返さない。
【００１１】
（実施の形態１）
図１は、この発明の実施の形態１に従った携帯電話機の模式図である。図１を参照して、この発明の実施の形態１に従った携帯電話機は、一方端１３１ａから他方端１３２ａに向かって延び、ほぼ矩形で長辺１３３，１３４と短辺１３１，１３２とを有する基板１３０と、基板１３０の一方端１３１ａ側と他方端１３２ａ側において、基板１３０の対角線１３０ｙ近傍に設けられた第１および第２の給電点１５１，１５３と、第１および第２の給電点１５１，１５３の各々に接続された第１および第２のアンテナ１５２，１５４と、基板の長辺１３３，１３４の長さをＡとすると、一方端１３１ａ（短辺１３１）からの距離が、Ａ／３以上２Ａ／３以下の領域１３０ｅに位置するデジタルチップ１６０とを備える。
【００１２】
さらに基板１３０の一方側部１３３ａから他方側部１３４ａへ延びる短辺１３１，１３２の長さをＢとすると、一方側部１３３ａ（長辺１３３）からの距離がＢ／３以上２Ｂ／３以下の領域にデジタルチップ１６０が位置する。
【００１３】
携帯電話機１００は２つの基板１３０，１４０と、基板１３０および１４０を収納する筐体１１０，１２０と、２つの基板１３０，１４０を接続するフレキシブルプリント基板１７０とを有する。２つの筐体１１０，１２０はそれぞれ基板１３０，１４０を収納する。筐体１１０には操作キー（図示せず）が設けられ、筐体１２０には表示パネル（図示せず）が設けられる。基板１３０では、デジタルチップ１６０の他、無線部をはじめとして、さまざまな機器が設けられる。
【００１４】
なお、図１では、領域１３０ｅにのみデジタルチップ１６０が設けられているが、これに限定されるものではなく一方端１３１ａからの距離がＡ／３以上２Ａ／３以下の領域１３０ｄ，１３０ｅ，１３０ｆのいずれにもデジタルチップ１６０が設けられていてもよい。基板１３０は薄板形状で長方形状である。なお、基板１３０の一部分が欠けていてもよい。
【００１５】
また、携帯電話機１００は、基板１３０，１４０の少なくとも一方に実装されたカメラを備えていてもよい。基板１４０の対角線上には２つの給電点１５１，１５３が設けられる。給電点１５１，１５３はそれぞれアンテナ１５２，１５４に接続される。なお、アンテナ１５２，１５４の電気長はλ／４とする。また、アンテナ１５２，１５４の形状はモノポールアンテナ、ヘリカルアンテナ、板状アンテナ、逆Ｆアンテナなどのさまざまなアンテナを採用することができる。
【００１６】
このように構成された携帯電話機１００では、一方端１３１ａからの距離がＡ／３以上２Ａ／３以下の領域にデジタルチップ１６０が位置するためノイズが発生しにくく、かつ通話品質の高い携帯電話機となる。
【００１７】
（実施の形態２）
図２は、この発明の実施の形態２に従った携帯電話機の模式図である。図２を参照して、この発明の実施の形態２に従った携帯電話機１００では基板１３０が１つしか設けられていない点で、実施の形態１に従った携帯電話機と異なる。すなわち、実施の形態２に従った携帯電話機１００は折畳むことができない。実施の形態２に従った携帯電話機１００でも、実施の形態１と同様に一方端１３１ａからの距離がＡ／３以上２Ａ／３以下の領域１３０ｅにデジタルチップ１６０が設けられている。なお、デジタルチップ１６０は他の領域１３０ｄおよび１３０ｆに設けられていてもよい。
【００１８】
このように構成された実施の形態２に従った携帯電話機１００でも、実施の形態１に従った携帯電話機と同様の効果がある。
【実施例１】
【００１９】
実施例では、本発明に従った携帯電話機においてノイズを低減する効果があることを検証した。
【００２０】
図３は実施例で用いた基板の模式図である。図３を参照して、実施の形態１で示す基板と同様の基板１３０、１４０を準備した。なお、基板１３０の寸法は、長辺×短辺が９０ｍｍ×４０ｍｍである。基板１３０には第２の給電点１５３および第２のアンテナ１５４を設けなかった。アンテナ１５２の電気長をλ／４とした。
【００２１】
ネットワークアナライザにて、給電点１５１に給電しアンテナ１５２の入反射からインピーダンス測定をした。このときの共振周波数は９４５．２ＭＨｚであり、本携帯電話機の使用周波数とほぼ一致し、かつ変動の様子を容易に確認できるポイントなので、この周波数での測定を行った。このときインピーダンスは以下の式で表わされ、インピーダンスの虚数部分は０となった。
【００２２】
インピーダンスＺ＝Ｒ（実部）＋ｊＸ（虚部）
次に、図４で示すように基板１３０を１８等分に分割した。図４の領域１，４が図１の領域１３０ａに対応し、領域２，５が領域１３０ｂに対応し、領域３，６が領域１３０ｃに対応し、領域７，１０が領域１３０ｄに対応し、領域８，１１が領域１３０ｅに対応し、領域９，１２が領域１３０ｆに対応し、領域１３，１６が領域１３０ｇに対応し、領域１４，１７が領域１３０ｈに対応し、領域１５，１８が領域１３０ｉに対応する。図４の領域１、２〜１８のそれぞれに誘電体を接触させた状態で上述の式１の虚部Ｘがどのように変化をするか求めた。その結果を表１に示す。
【００２３】
【表１】
2005142641.tif 000003
【００２４】
表１より測定ポイントとしての領域１３から１８では変化量（ｐＨ：ピコヘンリー）が大きくなっていることがわかる。このように、領域１３から１８、すなわち図１の領域１３０ｇから１３０ｉでは誘電体を接触した場合に変化量が大きくなるため、この部分にノイズ源となるデジタルチップを搭載すると当然にノイズが大きくなることがわかった。つまり、一方端１３１ａからの距離が２Ａ／３を超える領域１３０ｇから１３０ｉにデジタルチップを搭載すると、通話品質が劣化する。
【００２５】
また、本発明では、対角線１３０ｙ近傍に別の給電点１５３を設けるため、この給電点１５３への影響も考慮する必要がある。そのため、他方端１３２ａからの距離が２Ａ／３を超える領域、すなわち、一方端１３１ａからの距離がＡ／３未満の領域１３０ａから１３０ｃにデジタルチップを搭載すると、通話品質が劣化する。
【００２６】
その結果、ノイズ源となるデジタルチップを搭載する場所として領域７から１１（図２の領域１３０ｄから１３０ｆ）が好ましいことがわかった。
【００２７】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２８】
【図１】この発明の実施の形態１に従った携帯電話機の模式図である。
【図２】この発明の実施の形態２に従った携帯電話機の模式図である。
【図３】実施例で用いた基板の模式図である。
【図４】実施例で用いた基板を詳細に示す模式図である。
【符号の説明】
【００２９】
１〜１８，１３０ａ〜１３０ｉ  領域、１００  携帯電話機、１１０，１２０  筐体、１３０，１４０  基板、１３１，１３２  短辺、１３１ａ  一方端、１３２ａ  他方端、１３３，１３４  長辺、１３３ａ  一方側部、１３４ａ  他方側部、１５１  第１の給電点、１５２  第１のアンテナ、１５３  第２の給電点、１５４  第２のアンテナ、１６０  デジタルチップ。
【図１】
2005142641.tif 000004
【図２】
2005142641.tif 000005
【図３】
2005142641.tif 000006
【図４】
2005142641.tif 000007